【手続補正書】
【提出日】平成18年5月25日(2006.5.25)
【手続補正１】
【補正対象書類名】明細書
【補正対象項目名】特許請求の範囲
【補正方法】変更
【補正の内容】
【特許請求の範囲】
【請求項１】  ガラス製造法に用いる煤を生じさせるべく、燃料と酸化体の混合物を部分的に酸化させるためのバーナノズル（２１６）であって、
内側部材（５６）と、
前記内側部材（５６）の少なくとも下流側部分を包囲し、この下流側部分と環状通路（６６）を構成する外側部材（５８）と、
第１のガスを前記内側部材の中を通して前記内側部材から第１の出口に送出するために、前記内側部材を貫いて延びる第１のガス通路（６０）と、
第２のガスを前記外側部材と前記内側部材との間に配置された第２の出口に送出するために、前記環状通路（６６）を含み且つ前記第１のガス通路（６０）を包囲する第２のガス通路（６４）と、を有し、
前記第２の出口は、環状アレイをなす複数の第２の出口開口（６７）を有し、
前記内側部材を貫いて延びる前記第１のガス通路（６０）は、複数の別々の通路（６２）を有し、前記別々の通路は、環状アレイをなす第１の出口開口（６３）を有し、
前記第１の出口開口及び前記第２の出口開口は、環状アレイをなして交互に配置される、バーナノズル。
【請求項２】  前記第１の出口開口（６３）は円形である、請求項１に記載のバーナノズル。
【請求項３】  前記第２の出口開口（６７）は、前記内側部材（５６）の外面と前記外側部材（５８）の内面との間に延びるスロットである、請求項１又は２に記載のバーナノズル。
【請求項４】  前記第２の出口開口（６７）の各々は、流れ方向に見て、前記バーナノズルの長手方向中心軸線に収斂する角度をなして延びる、請求項３に記載のバーナノズル。
【請求項５】  前記第２の出口開口（６７）は、前記バーナノズルの半径方向に延び、前記第１の出口開口（６３）を半径方向に覆うスロット長さを有する、請求項３又は４に記載のバーナノズル。
【請求項６】  ガラス製造機の溶融ガラス接触表面に煤粒子を付着させるために煤含有火炎を生じさせる装置であって、
請求項１〜５のいずれか１項に記載のバーナノズル（２１６）を有するバーナ（１６，１１６）と、
酸化体を前記バーナに送出するための酸化体ライン（１８）と、
炭質燃料を前記バーナに送出するための燃料ライン（２０）と、
燃料と酸化体の可燃性混合物を前記バーナからの出口の下流側の場所で点火させる火花点火器（５４，１５４）と、を有し、
前記バーナは、燃料と酸化体の予備混合なしの表面混合型のものであり、
前記バーナノズルは、燃料及び酸化体の流れが環状パターンをなす別々のガス流を形成するように構成される、装置。
【請求項７】  前記酸化体ライン（１８）は、酸化体を前記バーナに間欠的に送出するためのソレノイド弁（３８）を１つだけ有し、
前記燃料ライン（２０）は、燃料を前記バーナに間欠的に送出するためのソレノイド弁（４０）を１つだけ有する、請求項６に記載の装置。
【請求項８】  更に、酸化体を前記酸化体ラインに送出するための酸化体マニホルドと、
燃料を前記燃料ラインに送出するための燃料マニホルドと、を有する請求項６又は７に記載の装置。
【請求項９】  更に、前記酸化体ラインに送出される酸化体の圧力を調整する、前記酸化体マニホルドの第１の圧力調整器と、
前記燃料ラインに送出される燃料の圧力を調整する、前記燃料マニホルドの第２の圧力調整器と、を有する請求項８に記載の装置。
【請求項１０】  前記バーナに送出される酸化体は、前記バーナの長手方向中心軸線と平行に前記環状パターンをなして流れ、
前記バーナに送出される燃料は、酸化体が辿る経路の半径方向内部に位置する経路に沿って前記バーナの中を流れる、請求項６〜９のいずれか１項に記載の装置。
【請求項１１】  前記バーナは、先端部（５６）と、前記先端部の少なくとも下流側部分を包囲する環状キャップ（５８）と、を有し、
燃料は、前記バーナの長手方向中心軸線に沿って多数の別々の燃料通路(６２)を通って前記バーナに送出され、前記別々の燃料通路は、出口開口（６３）を有し、前記別々の燃料通路及び前記出口開口は、環状アレイをなして配列され、
酸化体は、前記先端部（５６）の外面と前記環状キャップ（５８）の内面との間の環状通路（６６）を通って、前記燃料通路を包囲する流れをなして前記バーナに送出される、請求項１０に記載の装置。
【請求項１２】  前記燃料ラインは消化器（５２）を有する、請求項６〜１１のいずれか１項に記載の装置。
【請求項１３】  前記酸化体ラインは消化器（５０）を有する、請求項６〜１２のいずれか１項に記載の装置。
【請求項１４】  前記火花点火器（１５４）は、電極（７０）及び接地電極（７２）を有し、
前記装置は、更に、前記電極に差し向けられた複数の出口（７６）及び前記接地電極に差し向けられた複数の出口（７６）を有する圧縮空気源を有する、請求項６〜１３のいずれか１項に記載の装置。
【請求項１５】  前記圧縮空気源は、更に、前記バーナの下流側の外面に差し向けられた複数の出口（７８）を有する、請求項１４に記載の装置。
【請求項１６】  ガラス製造機の成形モールドの溶融ガラス接触要素に煤粒子を導入する方法であって、
炭質燃料を、請求項１〜５のいずれか１項に記載のバーナノズルを含むバーナにパルス状態で供給する工程と、
炭質燃料を完全に酸化させるには不十分な流量の酸化体の供給を、オーバーラップしたパルス状態で前記バーナに送出する工程と、
炭質燃料と酸化体を互いに混合して、燃料と酸化体の可燃性混合物を形成する工程と、
可燃性混合物を前記バーナノズルと成形モールドとの間の場所で点火させる工程と、を有し、
燃料及び酸化体は、環状パターンをなして交互に配置された別々の流れとして前記バーナノズルから流され、成形モールド（Ｍ）に向かって流れるときに表面混合される、方法。
【請求項１７】  前記燃料は、アセチレンをベースとする燃料である、請求項１６に記載の方法。
【請求項１８】  前記アセチレンをベースとする燃料は、メトアセチレンとプロパジエンの混合物を有する、請求項１７に記載の方法。
【請求項１９】  前記酸化体は、本質的には、純粋な酸素から成る、請求項１６〜１８のいずれか１項に記載の方法。
【請求項２０】  可燃性混合物を点火させる前記工程は、電極及び接地電極を有する火花点火器が使用され、
前記方法は、更に、炭質燃料と酸化体のパルスとパルスの間、電極及び接地電極に堆積した煤を燃焼させる工程を有する、請求項１６に記載の方法。
【手続補正２】
【補正対象書類名】明細書
【補正対象項目名】００１５
【補正方法】変更
【補正の内容】
【００１５】
特定の表面混合型バーナ２１６を図４〜図７に示す。図３の構成とほぼ一致して動作し、即ち、環状帯をなす酸化体流の内側を燃料が流れるバーナ２１６は、環状キャップ即ち外側部材５８内に同軸状に挿入される先端部即ち内側部材５６を有している。燃料は、下流側端部が閉鎖された通路６０を通って先端部５６の長手方向中心軸線に沿って先端部５６に送られ、そして、通路６０と流体連通している通路６２及び出口開口６３の環状アレイを通って先端部５６から流出する。酸化体は、入口６４及び環状通路６６を通って流れ、そして、通路６２からの出口開口６３を包囲する環状通路６６からの出口開口６７を通って、先端部５６の長手方向中心軸線に対して平行にバーナ２１６から流れる。出口開口６７は、先端部５６の外面及び環状キャップ５８の内面との間に延びるスロット（図５参照）によって構成される。酸化体が先端部５６の長手方向中心軸線に対して平行にバーナ２１６から流出し、燃料が多数の小さな流れでバーナ２１６から流れている状態では、燃料の流れと酸化体の流れは非常に迅速に混ざり合い、燃料と酸化体の可燃性混合物が、バーナ２１６の出口のすぐ下流に生じ、例えば、火花点火器５４によって点火可能になる。
【手続補正３】
【補正対象書類名】図面
【補正対象項目名】図５
【補正方法】変更
【補正の内容】
【図５】
2004002190.tif 000001
【手続補正４】
【補正対象書類名】図面
【補正対象項目名】図６
【補正方法】変更
【補正の内容】
【図６】
2004002190.tif 000002
【手続補正５】
【補正対象書類名】図面
【補正対象項目名】図７
【補正方法】変更
【補正の内容】
【図７】
2004002190.tif 000003